(57)【要約】【課題】オートドキュメントフィーダの提供。【解決手段】平台式スキャナ上に取り付ける本考案のオートドキュメントフィーダは、上蓋内に設置する給紙機構と用紙ガイド機構を含む。前記給紙機構は複数のガイド壁とフィード輪によって構成され、ガイド壁が用紙を送るための給紙経路を区分けし、フィード輪に押し出された用紙は給紙経路に沿って前進する。また、前記用紙ガイド機構は、前記平台式スキャナの上表面に設置し、可動ガイド板と動作制御装置を含む。その内の可動ガイド板は平台式スキャナの上表面に可動状態で取り付け、予め設けた経路に沿って移動し可動ガイド板と動作制御装置とは連接し合い、上蓋と平台式スキャナを閉じた時に連動する可動ガイド板を上向きに移動させる。【選択図】図５
0003178699.tif 000002
【実用新案登録請求の範囲】
【請求項１】
平台式スキャナ上に取り付けるオートドキュメントフィーダは、上蓋内に設置する給紙機構と平台式スキャナの上表面に設置する用紙ガイド機構とを含み、
前記給紙機構は複数のガイド壁とフィード輪によって構成され、ガイド壁が用紙を送るための給紙経路を区分し、フィード輪に押し出された用紙は給紙経路に沿って前進し、
前記用紙ガイド機構は可動ガイド板と動作制御装置を含み、
その内の可動ガイド板は平台式スキャナの上表面に可動状態で取り付け、予め設けた経路に沿って移動し可動ガイド板と動作制御装置とは連接し合い上蓋と平台式スキャナを閉じた時に、
連動する可動ガイド板を上向きに移動させることを特徴とするオートドキュメントフィーダ。
【請求項２】
前記ガイド壁上には用紙ガイド機構の位置を制限するための位置限定部材を設け、位置限定部材はガイド壁の左右両側の突出体に設置することを特徴とする請求項１に記載のオートドキュメントフィーダ。
【請求項３】
前記用紙ガイド機構には長形溝を設け長形溝は平台式スキャナの上表面に設置し、前記可動ガイド板は長形溝内に可動状態で枢着することを特徴とする請求項１に記載のオートドキュメントフィーダ。
【請求項４】
前記動作制御装置はマグネット部材として設定し前記マグネット部材は上蓋内に取り付け、磁力によって前記可動ガイド板を吸引することを特徴とする請求項１に記載のオートドキュメントフィーダ。
【考案の詳細な説明】
【技術分野】
【０００１】
本考案は、オートドキュメントフィーダに関し、オートドキュメントフィーダ中の用紙ガイド機構に係る。
【背景技術】
【０００２】
使用上の利便性を高めるために、一般のコピー機上には、平台式スキャナを設置するとともに、平台式スキャナの上蓋にさらにオートドキュメントフィーダを設け、オートドキュメントフィーダ（ＡＤＦ）によって連続スキャンおよび両面スキャン等の動作を達成している。
【０００３】
公知のオートドキュメントフィーダ１０の構造は図１及び図２に示すとおりで、上蓋１２に取り付けた給紙機構３０と平台式スキャナ１１上に設置した用紙ガイド機構を含む。給紙機構３０には複数のガイド壁３１とフィード輪３２を設け、ガイド壁３１によって一条の給紙経路３３が区分けされる。フィード輪３２の動きによって用紙を給紙経路３３に沿って移動させ、平台式スキャナ１１上のスキャンエリア１３まで送ってスキャンする。用紙ガイド機構はスキャンエリア１３の後方に設置し、用紙ガイド機構を固定式のガイド板とし、且つ、ガイド板１４の後端の高さをガイド壁３１より高くする。この状態で用紙がスキャンエリア１３を通過した後は、ガイド壁３１によって阻止されることなく、順調に給紙経路３３内に戻る。
【０００４】
図３に示すとおり、前記給紙機構３０は上蓋１２内に設置してあるため、使用者の蓋の閉じ方が不適当であったり、給紙機構３０取り付けの隙間が大きすぎる場合、スキャンした後の用紙を、順調に給紙経路３３内に戻せなくなることがある。図３は異常発生状態を示す図である。ガイド板１４後端の高さがガイド壁３１より低いため、スキャンエリア１３を通過した用紙は、ガイド壁３１上に引っ掛かり、用紙の破損や紙詰まりを起こす。
【０００５】
前記欠点に鑑み、従来型のオートドキュメントフィーダには改善の余地がある。
【考案の概要】
【考案が解決しようとする課題】
【０００６】
本考案の目的は自動調整可能で、ガイド壁と用紙ガイド機構に適度な隙間を保持し、さらに給紙過程における用紙の破損や紙詰まりを防ぐことのできるオートドキュメントフィーダの提供にある。
【課題を解決するための手段】
【０００７】
上述の目的を達成するために、本考案のオートドキュメントフィーダは、平台式スキャナ上に設置する用紙ガイド機構と、上蓋に設置する給紙機構とを含む。
【０００８】
前記用紙ガイド機構には、可動ガイド板と動作制御装置を含む。可動ガイド板は平台式スキャナの上表面に可動状態で取り付け、予め設けた経路に沿って移動しガイド壁間の隙間を調節する。前記動作制御装置と可動ガイド板は連接し合い連動する可動ガイド板を移動させる。
【０００９】
本考案の実施例において、可動ガイド板は平台式スキャナの上表面に可動状態でヒンジ接合し、一定角度の円弧径経路に沿って移動させることも可能である。可動ガイド板が動く時可動ガイド板の後端の高さもそれに従い変化し、さらに可動ガイド板とガイド壁の間に適度な間隔を確保する。また、実施例において前記動作制御装置をマグネット部材としマグネット部材を上蓋に取り付け、上蓋を下方向に閉じた時、吸引される平台式スキャナ上に設置した可動ガイド板は上向きに回転する。
【００１０】
また、平台式スキャナの上表面箇所には、可動ガイド板を収めるための長形溝をさらに設け、可動ガイド板を長形溝内にヒンジ接合し、これにより可動ガイド板が動作制御装置の駆動を受けていない時は長形溝内に収められる。
【００１１】
本考案の特徴は、平台式スキャナの上表面箇所に用紙ガイド機構を設ける点にあり、用紙ガイド機構は可動ガイド板と動作制御装置とを含む。可動ガイド板は平台式スキャナの上表面に可動状態で連接し、予め設けた経路に沿って往復運動をする。前記動作制御装置と前記可動ガイド板は連接し合い、平台式スキャナの上蓋を閉じた時、連動する可動ガイド板は上向きに移動し、可動ガイド板と給紙経路上のガイド壁に適度な距離を確保させるため、紙詰まりの発生を防ぐことができる。
【考案の効果】
【００１２】
本考案のオートドキュメントフィーダは、自動調整が可能であり、ガイド壁と用紙ガイド機構に適度な隙間を保持し、給紙過程における用紙の破損や紙詰まりを防ぐ効果を有する。
【図面の簡単な説明】
【００１３】
【図１】公知オートドキュメントフィーダの断面図である。
【図２】公知オートドキュメントフィーダの立体図である。
【図３】公知オートドキュメントフィーダに紙詰まりが発生した状態を示す図である。
【図４】本考案オートドキュメントフィーダの立体図である。
【図５】本考案オートドキュメントフィーダの断面図である。
【図６】上蓋を閉じ、可動ガイド板を持ち上げた状態を示す図である。
【図７】上蓋を持ち上げ、可動ガイド板を下げた状態を示す図である。
【考案を実施するための形態】
【００１４】
本考案の技術内容、構造特徴、達成する目的及び効果の把握のために、次に図面を組み合わせた実施例による詳細説明を行う。
【実施例１】
【００１５】
図４及び図５に示すとおり、本考案のオートドキュメントフィーダ１０は用紙ガイド機構２０と、上蓋１２内に設置する給紙機構３０とを含む。その内の給紙機構３０は、複数のガイド壁３１とフィード輪３２によって構成され、ガイド壁３１が用紙送りの給紙経路３３を区分し、フィード輪３２に押し出された用紙は給紙経路３３に沿って前進する。また、ガイド壁３１上には用紙ガイド機構２０の位置を制限するための位置限定部材２４を設ける。
【００１６】
本考案の図面に示した実施例図において、前記用紙ガイド機構２０は、長形溝２３と可動ガイド板２１と動作制御装置２２を含む。長形溝２３は平台式スキャナ１１の上表面、スキャンエリア１３の後端に隣接する箇所に設置する。可動ガイド板２１は長形溝２３内に可動状態で枢着し、可動ガイド板２１は一端を軸として回転する。ガイド壁３１の左右両側の突出体に設置した前記位置限定部材２４によって、可動ガイド板２１後端の高さをコントロールし、可動ガイド板２１とガイド壁３１間に用紙を通過させるための充分な隙間を保持させる。また、動作制御装置２２と可動ガイド板２１は連接し合い、上蓋１２と平台式スキャナ１１を閉じた時に連動する可動ガイド板２１を上方向に回転させる。
【００１７】
本考案の実施例において、動作制御装置２２は上蓋１２に取り付けたマグネット部材２２１とする。上蓋１２と平台式スキャナ１１を閉じた時、可動ガイド板２１はマグネット部材２２１の磁力によって吸引され下から上向きに回転する。この時、ガイド壁３１上の位置限定部材２４と可動ガイド板２１は密着し、可動ガイド板２１とガイド壁３１の間に用紙通過に充分な隙間を確保する。使用者が上蓋１２を開いた時は、可動ガイド板２１はマグネット部材２２１の吸引を失い、下方向に落下し長形溝２３内に戻る。
【００１８】
図６に示すとおり、使用者が本考案のオートドキュメントフィーダ１０を使用して自動給紙を行うステップは次のとおりである。まず、使用者は上蓋１２と平台式スキャナ１１を閉じ、オートドキュメントフィーダ１０を平台式スキャナ１１上のスキャンエリア１３に隙間なく揃える。続いて、用紙をオートドキュメントフィーダ１０の用紙受けに置く。前記フィード輪３２の動きによって、用紙受け内に置かれた用紙が一枚一枚送られてガイド経路を通過し、スキャンエリア１３に送られてスキャンされる。
【００１９】
この時、可動ガイド板２１は、マグネット部材２２１の磁力による吸引を受けて上向きに回転し、平台式スキャナ１１の上方に突出して斜面を形成する。これにより、送られる用紙は給紙経路３３内に戻る。可動ガイド板２１の後端の高さがガイド壁３１より若干高いため、スキャンエリア１３を通過した用紙は可動ガイド板２１の誘導の元、ガイド経路内に戻り、ガイド壁３１に阻止されることはない。
【００２０】
図７に示すとおり、使用者がスキャンを終えて上蓋１２を開くと、可動ガイド板２１とマグネット部材２２１は分離する。上方向に回転する駆動力を失った可動ガイド板２１は、落下して長形溝２３内に戻り、平台式スキャナ１１の上表面は再び完全なフラット面となる。
【００２１】
前述した通り、本考案と公知技術の相違点は、平台式スキャナ１１上表面箇所に用紙ガイド機構２０を設けた点にあり、用紙ガイド機構２０は可動ガイド板２１と動作制御装置２２を含む。可動ガイド板２１は平台式スキャナ１１の上表面に可動状態で連接し、予め設けた経路に沿って往復運動をする。前記動作制御装置２２と前記可動ガイド板２１は連接し合い、平台式スキャナ１１の上蓋１２を閉じた時、連動する可動ガイド板２１を上向きに移動させ、可動ガイド板２１と給紙経路３３上のガイド壁３１に適当な距離を確保させるため、紙詰まりの発生を防ぐことができる。  
【符号の説明】
【００２２】
１０  オートドキュメントフィーダ
１１  平台式スキャナ
１２  上蓋
１３  スキャンエリア
１４  ガイド板
２０  用紙ガイド機構
２１  可動ガイド板
２２  動作制御装置
２２１マグネット部材
２３  長形溝
２４  位置限定部材
３０  給紙機構
３１  ガイド壁
３２  フィード輪
３３  給紙経路
【図１】
0003178699.tif 000003
【図２】
0003178699.tif 000004
【図３】
0003178699.tif 000005
【図４】
0003178699.tif 000006
【図５】
0003178699.tif 000007
【図６】
0003178699.tif 000008
【図７】
0003178699.tif 000009